Podtech/llm-jp-corpus-v4-ja_patent huggingface dataset:
(57)【要約】【課題】外装材を容易にかつ安定良く取り付けることができる取付け構造を提供する。【解決手段】エネルギー吸収用の孔５を複数、分散状態に具備する金属板４が耐力壁の耐力要素として備えられ、外装材２が、該金属板４のエネルギー吸収用の孔５を利用して取り付けられている。【選択図】      図１
2005240437.tif 000002
【特許請求の範囲】
【請求項１】
エネルギー吸収用の孔を複数、分散状態に具備する金属板が耐力壁の耐力要素として備えられ、外装材が、該金属板のエネルギー吸収用の孔を利用して取り付けられていることを特徴とする外装材の取付け構造。
【発明の詳細な説明】
【技術分野】
【０００１】
本発明は、外装材の取付け構造に関する。
【背景技術】
【０００２】
建物の外装材の取付け方法として、外装材を鋼製のパネルフレームにビス打ちで取り付けることは、従来より行われている。しかしながら、この方法では、ビス打ちに際して、パネルフレームに外装材取付けのための下孔をわざわざ明けなければならず、それが厄介であるという問題があった。
【発明の開示】
【発明が解決しようとする課題】
【０００３】
本発明は、上記のような従来の問題点に鑑み、外装材を容易にかつ安定良く取り付けることができる取付け構造を提供することを課題とする。
【課題を解決するための手段】
【０００４】
上記課題は、エネルギー吸収用の孔を複数、分散状態に具備する金属板が耐力壁の耐力要素として備えられ、外装材が、該金属板のエネルギー吸収用の孔を利用して取り付けられていることを特徴とする外装材の取付け構造によって解決される。
【０００５】
この取付け構造では、耐力壁の耐力要素としての金属板にそもそも備えられているエネルギー吸収用の孔を外装材の取付けに利用するものであるから、取付け側に外装材取付けのための下孔をわざわざ明ける必要がなく、そのため、取付けのための下孔を加工する手間を減らし、あるいは、なくすことができて、外装材を容易に取り付けることができる。
【０００６】
しかも、耐力壁の耐力要素としての金属板のエネルギー吸収用の孔は、金属板の面内に複数分散状態に備えられているので、これらの孔をうまい具合に選択利用して外装材を安定良く取り付けることができる。
【発明の効果】
【０００７】
本発明は、以上のとおりのものであるから、外装材を容易にかつ安定良く取り付けることができる。
【発明を実施するための最良の形態】
【０００８】
次に、本発明実施最良形態を図面に基づいて説明する。
【０００９】
図１及び図２に示す実施形態は、外壁パネル１における外装材２の取付け構造についてのもので、３は鋼製のパネルフレーム、４は耐力壁の耐力要素として機能する金属板である。金属板４は、鋼板からなっていて、パネルフレーム３の屋外側に隣接して備えられ、パネルフレーム３に取り付けられるか、あるいは、図１（ロ）に示すように、パネルフレーム３部分を含む板曲げ加工の一体成形品からなっている。
【００１０】
そして、金属板４には、エネルギー吸収用の多数の丸孔５…が、金属板４の面内全域にわたるように分散状態に明けられ、窯業系などからなる外装材２が、金属板４の丸孔５…を利用し、金属板４の屋外に隣接するようにして取り付けられている。なお、６は断熱シートであり、外装材２と金属板４との間に介設されている。
【００１１】
金属板４の丸孔５…を利用した外装材２の具体的な取付け構造としては、例えば、図１に示すように、外装材２の背面側に取付け用の嵌合用凸部７，７を備えさせると共に、該嵌合用凸部７，７に対応する金属板４の丸孔５，５に嵌合用の受け金物８，８を付け、嵌合用凸部７と嵌合用受け金物８とを着脱可能に嵌合して取り付ける構造であってもよいし、また、外装材の背面側に備えられた嵌合用凸部を金属板の丸孔に直接強制的に嵌合して着脱できるように取り付ける構造であってもよいし、その他の構造であってもよく、着脱可能であるか否かにかかわらず、要は、外装材２の取付けに金属板４の孔５…が寄与するような取付け構造であればよい。
【００１２】
上記の取付け構造では、耐力壁の耐力要素としての金属板４にそもそも備えられているエネルギー吸収用の孔５…を外装材２の取付けに利用するものであるから、取付け側に外装材取付けのための下孔をドリルなどでわざわざ明ける必要がなく、そのため、下孔を加工する手間を減らし、あるいは、なくすことができて、外装材２を容易に取り付けることができる。しかも、耐力壁の耐力要素としての金属板４のエネルギー吸収用の孔５…は、金属板４の面内に複数分散状態に備えられているので、これらの孔５…をうまい具合に選択利用して外装材２を安定良く取り付けることができる。
【図面の簡単な説明】
【００１３】
【図１】実施形態の取付け構造を示すもので、図（イ）は外壁パネルの断面平面図、図（ロ）は金属板と外装材とを分離状態にして示す断面平面図である。
【図２】同外壁パネルの分解斜視図である。
【符号の説明】
【００１４】
２…外装材
４…耐力要素としての金属板
５…丸孔（エネルギー吸収用の孔）
【図１】
2005240437.tif 000003
【図２】
2005240437.tif 000004
(57)【要約】【課題】本発明は、簡単な構造で本体に多少の反りが生じた場合にも、扉体を取り付けている蝶番から異音を発生しない樹脂製ボックスの扉体取り付け構造を提供することを目的としている。【解決手段】本発明に係る樹脂製ボックス１の扉体４取り付け構造は、本体２には略筒状の本体側蝶番５ａを、扉体４には本体側蝶番５ａに挿入可能である扉体側蝶番５ｂを形成し、それぞれ蝶番は上下二点ずつの四点で扉体４を支持し、上下それぞれ内側の蝶番は、扉体側蝶番５ｂの軸径を本体側蝶番５ａの内径より小さく形成することを特徴とする。【選択図】図１
2005240368.tif 000002
【特許請求の範囲】
【請求項１】
本体の前面に開口を有し、該開口には回動動作により開閉可能である扉体を取り付け施蓋して成る各種電気機器等を収納するための樹脂製ボックスの扉体取り付け構造において、前記本体には略筒状の本体側蝶番を、前記扉体には前記本体側蝶番に挿入可能である扉体側蝶番を形成し、それぞれ蝶番は上下二点ずつの四点で前記扉体を支持することを特徴とする樹脂製ボックスの扉体取り付け構造。
【請求項２】
前記樹脂製ボックスの扉体取り付け構造において、上下それぞれ内側の蝶番は、該扉体側蝶番の軸径を前記本体側蝶番の内径より小さく形成することを特徴とする請求項１に記載の樹脂製ボックスの扉体取り付け構造。
【発明の詳細な説明】
【技術分野】
【０００１】
本発明は、本体の前面に開口を有し、開口には回動動作により開閉可能である扉体を本体に上下二点ずつの四点で蝶着した、各種電気機器等を収納するための樹脂製ボックスの扉体取り付け構造に関する。
【背景技術】
【０００２】
樹脂製ボックス２１の開口は扉体２２で施蓋する。扉体２２は上下二点を蝶番２３で支持していた。また、蝶番２３は本体２４に本体側蝶番２３ａを、扉体２２に扉体側蝶番２３ｂを形成し、本体側蝶番２３ａと扉体側蝶番２３ｂとを組み合わせて、扉体２２を回動動作により開閉可能とした。この時、本体側蝶番２３ａの内径と扉体側蝶番２３ｂの軸径はそれぞれ同じ寸法に形成されていた。
【非特許文献１】２００３  カワムラカタログ  電設資材編Ｎｏ．３４  平成１５年５月１日
【発明の開示】
【発明が解決しようとする課題】
【０００３】
蝶番２４には、本体２３を立てた状態、寝かせた状態どちらでも扉体を支持できる強度が必要であるが、上記従来の樹脂製ボックスでは、強度が不足し蝶番が破損する虞があった。また、樹脂の特性から収縮することがあり、本体に内反りが発生した場合、蝶番部分も歪んでしまい、扉体側蝶番と本体側蝶番がこすれ合い扉体の開閉時に異音が生ずる虞があった。
【課題を解決するための手段】
【０００４】
そこで本発明は、簡単な構造で強度を増すことのできる樹脂製ボックスの扉体取り付け構造を提供することを目的とし、その構造は、本体には略筒状の本体側蝶番を、扉体には本体側蝶番に挿入可能である扉体側蝶番を形成し、それぞれ蝶番は上下二点ずつの四点で扉体を支持することを特徴とする。
【０００５】
また、本体に多少の反りが生じた場合にも、扉体を取り付けている蝶番から異音を発生しない樹脂製ボックスの扉体取り付け構造を提供することを目的とし、その構造は、上下それぞれ内側の蝶番は、扉体側蝶番の軸径を本体側蝶番の内径より小さく形成することを特徴とする。
【発明の効果】
【０００６】
本発明に係る樹脂製ボックスの扉体取り付け構造は、本体には略筒状の本体側蝶番を、扉体には本体側蝶番に挿入可能である扉体側蝶番を形成し、それぞれ蝶番は上下二点ずつの四点で扉体を支持するため、扉体の強度を増すことができ、本体を立てた状態、寝かせた状態のどちらの作業でも扉体を支持することができる。
【０００７】
また、上下それぞれ内側の蝶番は、扉体側蝶番の軸径を本体側蝶番の内径より小さく形成するため、本体側蝶番と扉体側蝶番との間にクリアランスができるので本体が内反りを発生させた場合にも、本体側蝶番と扉体側蝶番とがこすれあうことなく、異音も発生せず、扉体の開閉が滑らかに行える。
【発明を実施するための最良の形態】
【０００８】
扉体の開閉時に異音を発生させないという目的を、簡単な構造で扉体の支持強度と扉体の取り付け作業の良さを損なわずに実現した。
【実施例１】
【０００９】
本発明に係る樹脂製ボックスの扉体取り付け構造の実施例を添付図面１〜３の添付図面に基づいて説明する。
【００１０】
各種電気機器を収納する樹脂製ボックス１は、本体２の前面に開口３を形成し、この開口３は回動動作により開閉可能な扉体４で施蓋される。扉体４は蝶番５により本体２に取り付けられる。樹脂製ボックス１は壁面等に本体２を立てた状態で取り付けられるが、扉体４の取り付けは作業は、本体２を寝かせた状態で行うことが多く、扉体４へ機器を取り付ける場合にも寝かせた状態行うので、扉体４を支持する蝶番５は上下二点ずつの合わせて四点で用いる。
【実施例２】
【００１１】
蝶番５は、本体２に略円柱形の本体側蝶番５ａを、扉体４に本体側蝶番５ａに挿入可能な軸状の扉体側蝶番５ｂを形成する。上下二点のうちそれぞれ内側の蝶番は、本体側蝶番５ａの内径より扉体側蝶番５ｂの軸径が小さくなるように形成する。一方上下二点のうちそれぞれ外側の蝶番は、本体側蝶番５ａの内径と扉体側蝶番５ｂの軸径とが同じになるように形成する。外側の蝶番で確実に扉体４を支持すると同時に、内側の蝶番では、本体２が反ってしまった場合にも本体側蝶番５ａと扉体側蝶番５ｂとの間にクリアランスがあるため、扉体４の開閉時に、本体側蝶番５ａと扉体側蝶番５ｂがこすれず、滑らかに開閉できると共に異音も発生しない。
【産業上の利用可能性】
【００１２】
扉体の支持は上下二点ずつ、合わせて四点の蝶番で行い、そのうち内側に形成された本体側蝶番と扉体側蝶番との間には隙間を持たせたため、本体や扉体に多少の反りが発生しても蝶番が擦りあわないため異音が発生しないので、扉体の滑らかな開閉動作を維持できる。
【図面の簡単な説明】
【００１３】
【図１】本発明に係る樹脂製ボックスの扉体取り付け構造を示す説明図である。（実施例１、実施例２）
【図２】図１における内側蝶番を示す断面図である。（実施例１、実施例２）
【図３】図１における外側蝶番を示す断面図である。（実施例１、実施例２）
【図４】従来技術における樹脂製ボックスの扉体取り付け構造を示す説明図である。
【図５】図４における蝶番を示す断面図である。
【符号の説明】
【００１４】
１      樹脂製ボックス
２      本体
３      開口
４      扉体
５      蝶番
５ａ    本体側蝶番
５ｂ    扉体側蝶番
【図１】
2005240368.tif 000003
【図２】
2005240368.tif 000004
【図３】
2005240368.tif 000005
【図４】
2005240368.tif 000006
【図５】
2005240368.tif 000007
(57)【要約】【課題】産業廃棄物またはリサイクルされた材料で、現場での施工が容易であり、十分な防草効果があり吸水性のある、雑草繁殖防止材を提供する。【解決手段】沖縄県内の浄水場で硬水を軟水化する際に生成される産業廃棄物の炭酸カルシウム塊であるペレットと天然土及び、若しくは再生土を完全乾燥させて、これらをセメントを含む固化剤と混合してなる舗装用混合材で、水を加えることにより自己硬化をする吸水性のある土の特性を生かした土舗装材とした。【特許請求の範囲】
【請求項１】
硬水中のカルシウム成分を昌析させて得られた炭酸カルシウムを主成分とする顆粒状のペレットと土とセメントを含む固化剤を混合した土舗装材。
【請求項２】
請求項１のペレットを２mm以下に破砕したものである、請求項１に記載の土舗装材。
【請求項３】
土が浄水汚泥及び建設工事で発生する汚泥等の無機性汚泥を改良した再生土である、請求項１または２に記載の土舗装材。
【発明の詳細な説明】
【技術分野】
【０００１】
本発明は、地面に雑草が繁殖するのを防止する雑草繁殖防止材に関する。
【背景技術】
【０００２】
雑草繁殖防止の方法としては、防草ボードを敷き詰めるものや、真砂土を特殊樹脂で固めるもの等がある。しかしながら、これらは効果が不十分である若しくは材料費が高いという不具合があった。
【発明の開示】
【発明が解決しようとする課題】
【０００３】
安価な材料で、現場での施工が容易であり、十分な防草効果をもつ雑草繁殖防止材を提供する。
【課題を解決するための手段】
【０００４】
沖縄県内の浄水場で硬水を軟水化する際に生成される産業廃棄物の炭酸カルシウム塊であるペレットと天然土及び、若しくは再生土を完全乾燥させて、これらをセメントを含む固化剤と混合してなる舗装用混合材で、水を加えることにより自己硬化をする吸水性のある土の特性を生かした土舗装材をえた。
【発明の効果】
【０００５】
ペレットは産業廃棄物ではあるが、沖縄の水に含まれていたもので、安価で、環境に影響を与えない材料である。また、不要になった古い雑草繁殖防止層を除去する場合は、容易に破砕ができ、適度に破砕すれば、土舗装材の原料としてリサイクル出来るものであり、循環利用資材としてのメリットが大きい。
【発明を実施するための最良の形態】
【０００６】
ペレットは浄水場から排出された形状のままでもいいが、破砕して粒径２ｍｍ以下の細粒状にしたものが、土となじみがいい。
【実施例】
【０００７】
ペレット及び土は、８０℃以上の温度を保ったロータリーキルンで３０分以上乾燥させたものを使い、土に対するペレットの配合比率は、３０％以上、望ましくは５０％以上とし、セメントの添加量は全体量の約１０％〜２０％とし、好ましくは１４．５％とする。
セメントの添加量は、舗装土の強度、吸水性とコスト等を考慮して用途に応じて最適量とする。更に、固化を有効に促進するために、セメント量に対して保水剤０.４％〜０.８％を添加することが望ましい。
(57)【要約】【課題】  サッシ窓には、内障子にクレセント、外障子にクレセント受けを設けてクレセントの掛け部を、クレセント受けの固定部に冠着きせて、内障子と外障子を連結して固定したものであるが、クレセントのハンドルの部分が防御されていない、室外から見てもクレセントのハンドルが丸見えで隠れていない。【解決手段】  外部からガラスを割って、マイナスドライバー等でクレセントのハンドルを押し戻す行為を防御することである、外障子のクレセント受けを大型化して、固定部と防御カバー部を合わせ持った。【選択図】    図１
2005240310.tif 000002
【特許請求の範囲】
【請求項１】
内障子の召し合わせ框に回動自在に支持される掛け部及びハンドルを有したクレセントを設け、外障子の召し合わせ框に前記クレセントの掛け部に係合するクレセント受けを設け、当該クレセント受けが掛け部を受け止める固定部と、ハンドルを隠す防御カバー部とを一体として形成する構造としたことを特徴とするクレセント錠。
【請求項２】
前記請求項１に記載のクレセント錠において、前記クレセント受けには、前記クレセントの掛け部を露出される逃げ孔を固定部に形成されることを特徴とするクレセント錠。
【発明の詳細な説明】
【技術分野】
【０００１】
本発明は、アルミサッシやスチールサッシの、主に引き違い戸に用いるクレセント錠。
【背景技術】
【０００２】
従来の引き違いサッシ窓には、内障子にクレセント、外障子にクレセント受けを設けてクレセントの掛け部を、クレセント受けの固定部に冠着きせて、内障子と外障子を連結して固定したものである、又クレセント錠には、殆どストッパー（二重ロックとも言う）が内蔵されていて、安全性においては高いはずであるが、ストッパーの鍵掛け忘れで思うような効果が上がってない。
【０００３】
これは第一に防犯の為であり、第二に雨風の侵入を防ぐ為であり、第三はクレセント錠を確実に閉めることで、風圧に対処している、しかしながら最近は、ガラスを割ってクレセントのハンドルを押し戻して、室内に侵入する犯罪が多発している、それはクレセントのハンドル部がガラスを透かして見とうせる、又ガラスの場合でもハンドル部が影として写っているので、ガラスの何処を壊せば、簡単に侵入出来るかが素人にも分かる状態である。
【特許文献１】特開１９９７−７８９０１号公報
【発明の開示】
【発明が解決しようとする課題】
【０００４】
解決しようとする問題点は、クレセントのハンドルの部分が防御されていないことである、前にも述べたように、室外から見て素人にもクレセントのハンドルが丸見えで隠されていない、クレセント受けを大型化してハンドル部を防御するのが目的である。
【課題を解決するための手段】
【０００５】
外部からサッシに嵌まったガラスをマイナスドライバー等で、割ってクレセントのハンドルを押し戻す行為を防御することである、本発明は、外障子のクレセント受けに、固定部と防御カバー部を合わせ持ったことが特徴である。
【発明の効果】
【０００６】
本発明のクレセント受けは、外障子に取り付けたため構造が簡単で、クレセントの型に合わせて、自由に寸法、デザイン、材質が選べてハンドル部をカバー出来る。
【０００７】
以外に多い、ガラスを破っての侵入、特に一戸建住宅のガラス破りは７割に近い、これは警視庁生活安全総務課講演資料を見たものであるが、要するにハンドル部を隠す事は、ドロボーの手口の一つを減らすことになり、ドロボーに対して心理的な効果が大きい。
【発明を実施するための最良の形態】
【０００８】
クレセント錠は、クレセントとクレセント受けで一つの鍵の役目をする、本発明は主にクレセント受けの工夫で、ハンドル部を防御する、だから新たにクレセントを開発する必要がなく、既存のクレセントに合せてデザインすればすむ、よって開発コストを抑えることが出来る。
【実施例】
【０００９】
図１は、本発明の内障子の召し合わせ框５に、掛け部１３とハンドル８を有したクレセント１２を設け、又外障子の召し合わせ框６には、クレセント受け１１Aを設けた、そのクレセント受けには、掛け部１３を受け止める固定部９と、ハンドル８を隠す防御カバー部１０が一体となった構造のクレセント錠を示す。
【００１０】
図３、図４は、クレセント受け１１には、固定部９の形状に穴あきタイプ１１Bと、穴なしタイプ１１Aがあり、比較図が示すように、クレセント１２のハンドル８を守る防御カバー部１０を、同じく有しており機能が同じクレセント錠。
【００１１】
図３のクレセント受け１１Aには、小ネジ１５で外召し合わせ框６を挟んでクレセント受け１１Aの、タッピングしたネジ穴１４（図５−Ａ）に固定する。
【００１２】
図４の実施例は、クレセント受け１１Bに長穴１６をあけてあり、外召し合わせ框６にタッピングしたネジ穴１４へ小ネジ１５でクレセント受け１１をとりつける。
【００１３】
引き戸サッシの場合、クレセントまわりに、何故、長穴加工を多く用いるかを説明すると、その建物の柱に倒れが無い場合は問題ないが、いつも開口部が直角に出来ているとは限らない、その弊害の一つには、クレセント１２の掛け部１３と、クレセント受け１１の固定部９が噛み合わないことである、二つ目がサッシ枠と引き戸障子において、斜めに隙間が出来ることである、その対策としてサッシの戸車で倒れを調整し、又クレセント受けと、外召し合わせ框に加工された長穴で調節する、それにクレセント１２にも、長穴が設けてあり、これはクレセントを上下に動かして調整する穴である。
【００１４】
外障子召し合わせ框６のクレセント受け１１の固定部９から、内障子召し合わせ框５に取り付けられたクレセント１２のハンドル８を回動すると、掛け部１３が離れて外障子と内障子が自由に開閉が出来る。
【産業上の利用可能性】
【００１５】
図２に示すように、マイナスドライバー等でガラスを破って、クレセントのハンドル部を押し戻して、サッシ戸を開けて侵入するのを防止するクレセント錠は、防犯にやくにたつ。
【図面の簡単な説明】
【００１６】
【図１】クレセントをクレセント受けに掛けたところを示す見取り図。
【図２】ドライバーでハンドルを押し戻すところを示す正面図。
【図３】框にクレセント受けを取り付けた見取り図。
【図４】框に穴あきタイプのクレセント受けを取り付けた見取り図。
【図５】本発明のA．Bと従来のクレセント受けC．Dを比較した説明図。
【符号の説明】
【００１７】
１    サッシ
２    ガラス
３    ビートゴム
４    マイナスドライバー
５    内障子召し合わせ框
６    外障子召し合わせ框
７    ストッパー
８    ハンドル
９    固定部
１０    カバー部
１１Ａ  クレセント受け
１１Ｂ  クレセント受け
１１Ｃ  クレセント受け
１１Ｄ  クレセント受け
１２    クレセント
１３    掛け部
１４    ネジ穴
１５    小ネジ
１６    長穴
１７    逃げ孔
【図１】
2005240310.tif 000003
【図２】
2005240310.tif 000004
【図３】
2005240310.tif 000005
【図４】
2005240310.tif 000006
【図５】
2005240310.tif 000007
(57)【要約】【課題】  防水パンを正確に位置決めして施工することができる浴室の施工方法を提供する。【解決手段】  基礎５上に横設される土台６に対し、浴室１の床面を構成する防水パン２の周縁の周縁片２ｂの少なくとも一辺を当接させて、防水パン２を良好に位置決めして施工することができる。【選択図】  図２
2005240383.tif 000002
【特許請求の範囲】
【請求項１】
基礎上に横設された土台に対し、浴室の床面を構成する防水パンの周縁の少なくとも一辺を当接させて、該防水パンを位置決めし施工することを特徴とする浴室の施工方法。
【請求項２】
前記土台の上面と前記防水パンの周縁を跨ぐように防水テープを貼着し、該防水テープで前記土台と防水パンを繋ぎ防水することを特徴とする請求項１に記載の浴室の施工方法。
【発明の詳細な説明】
【技術分野】
【０００１】
本発明は、浴室の施工方法に関するものである。
【背景技術】
【０００２】
従来、浴室は、例えば特許文献１に開示されているように施工されている。
【特許文献１】特許第２６４３９８３号公報
【発明の開示】
【発明が解決しようとする課題】
【０００３】
前記特許文献１に開示されているような施工では、支持架台等が必要であり、施工が困難であるという問題点があった。
【課題を解決するための手段】
【０００４】
本発明は上記従来の問題点に鑑み案出したものであって、施工が容易となる浴室の施工方法を提供するものであり、請求項１は、基礎上に横設された土台に対し、浴室の床面を構成する防水パンの周縁の少なくとも一辺を当接させて、該防水パンを位置決めし施工することである。
【０００５】
また請求項２は、前記土台の上面と前記防水パンの周縁を跨ぐように防水テープを貼着し、該防水テープで前記土台と防水パンを繋ぎ防水することである。
【発明の効果】
【０００６】
本発明の浴室の施工方法は、基礎上に横設された土台に、防水パンの周縁を当接させて位置決めすることとしたため、防水パンを設置する際に、正確に位置決めし易く、防水パンの設置が容易なものとなる。
【０００７】
また、土台の上面と防水パンの周縁間に防水テープを貼着し、防水テープで土台と防水パンを繋ぎ防水することとしたため、防水テープを用いて、防水パン周縁を容易に防水することができ、しかも防水テープで防水パンと土台を繋ぐことができ、施工が容易なものとなる。
【実施例】
【０００８】
以下、本発明の実施例を図面に基づいて説明する。
図１は、浴室と脱衣室の平面構成図である。
浴室１の床面を構成する防水パン２は、洗い場３と浴槽４が一体形成されたものであり、その外周には、壁載置面を構成する凹み状の外周凹部２ａが形成されており、この外周凹部２ａの外周側には、立ち上げ状に周縁片２ｂが一体形成されている（なお、浴槽４の外周においては、浴槽面が低い高さとなるので外周凹部２ａの内側立上りが立下がりとなる。）。
【０００９】
また、図２の縦断面拡大構成図で示すように、防水パン２の洗い場３には、排水目皿凹部２ｃが凹み状に一体形成されている。
防水パン２を設置する際に、図２に示すように、基礎５上に横設されている土台６の上面に、根太７ａ，７ｂを設けておき、この一方側の根太７ａの側面に、防水パン２の周縁片２ｂを当接させて、防水パン２を土台６に良好に位置決めすることができる。
【００１０】
なお、この場合、図１に示す壁面８側の周縁片２ｂも、壁面８側の土台に当接させることで、防水パン２の直交する二辺が土台６に当接されて、正確に位置決めした状態で防水パン２を設置することができ、防水パン２の位置決めが容易で、防水パン２を設置し易いものとなる。
なお、防水パン２の外周凹部２ａには、その後に壁材が載置されて壁面が構成されるが、防水パン２が正確に位置決めされて設置されるため、壁材も外周凹部２ａに沿って直角を出して施工できるものとなる。
【００１１】
なお、図２に示すように、脱衣室９側の根太７ｂ上には、脱衣室９の床面を構成する合板１０が敷設され、この合板１０上に粘着性の防水テープ１１を貼り付け、この防水テープ１１を洗い場３側の根太７ａ上に貼り付け、更に防水パン２の周縁片２ｂに跨ぐようにして貼り付けて、この防水テープ１１で、防水パン２と土台６を繋ぎ、しかも周縁片２ｂと脱衣室９側を良好に防水テープ１１で防水することができるものとなる。
その後に、脱衣室９側では、防水テープ１１上に、ガラス繊維で補強されたセメント系ボード１２が敷設され、このセメント系ボード１２上にタイル１３が貼設されて仕上げられるものである。
【００１２】
同様に浴室１側でも、防水パン２上にセメント系ボード１２を敷設し、このセメント系ボード１２上にタイル１３を貼設して、床面が仕上げられるものである。
なお、この場合、浴室１側のタイル１３と脱衣室９側のタイル１３を同一種類のタイルで構成し、しかも模様，パターン等が浴室１と脱衣室９に連続状となるように、タイル１３を貼設することにより、浴室１の床面と脱衣室９の床面が連続した優れた意匠性が確保されるものとなる。
【００１３】
なお、図２に示すように、根太７ａ上にはステンレス製の見切材１４が覆設されて、浴室１と脱衣室９側が仕切られ、この見切材１４上には、開閉可能に浴室１の入り口となるガラス製のドア１５が設けられるものであり、このドア１５に連続して浴槽４側にも、浴室１と脱衣室９を仕切る固定状のガラス仕切窓１６が設置されるものである。
【００１４】
このように、ガラス製のドア１５と仕切窓１６で、浴室１と脱衣室９を仕切るように構成しておけば、浴室１側と脱衣室９側が見渡せて広々とした感じが得られ、開放感が得られるものであり、しかも床面のタイルは浴室１側から脱衣室９側に連続した模様やパターンで配置されているため、より広々した感じが得られ、高級感が得られるものとなる。
【図面の簡単な説明】
【００１５】
【図１】浴室と脱衣室の平面構成図である。
【図２】浴室と脱衣室の床面の施工状態の縦断面拡大構成図である。
【符号の説明】
【００１６】
１  浴室
２  防水パン
２ａ  外周凹部
２ｂ  周縁片
２ｃ  排水目皿凹部
３  洗い場
４  浴槽
５  基礎
６  土台
７ａ，７ｂ  根太
８  壁面
９  脱衣室
１０  合板
１２  セメント系ボード
１３  タイル
【図１】
2005240383.tif 000003
【図２】
2005240383.tif 000004
(57)【要約】【課題】  湿気を防ぎ、配管あるいは配線等を内部に容易に施工できる壁構造を提供する。【解決手段】  柱２の内側に胴縁６を介して壁材７，８を取り付ける壁構造において、柱２と胴縁６間にスペーサー５，５を入れ、このスペーサー５，５により通気空間Ｓを壁内に形成させる。【選択図】        図２
2005240385.tif 000002
【特許請求の範囲】
【請求項１】
柱の内側に胴縁を介して壁材を取り付ける壁構造において、前記柱と胴縁との間にスペーサーを入れ、該スペーサーにより通気空間を形成させたことを特徴とする壁構造。
【請求項２】
前記通気空間内に補強材を配設したことを特徴とする請求項１に記載の壁構造。
【請求項３】
前記通気空間内に配管あるいは配線を配設したことを特徴とする請求項１に記載の壁構造。
【発明の詳細な説明】
【技術分野】
【０００１】
本発明は、浴室，脱衣室等の壁構造に関するものである。
【背景技術】
【０００２】
従来、特許文献１に開示されているように、壁体の内面に面状防水材と、さらにその内側に仕上げ材を貼着した壁構造が存在する。
【特許文献１】特開平１１−１８２０７２号公報
【発明の開示】
【発明が解決しようとする課題】
【０００３】
上記従来の壁構造においては、湿気を防ぐことが困難で、また配管とか配線等は別途、壁裏を通して配設する必要があるという問題点があった。
【課題を解決するための手段】
【０００４】
本発明は上記従来の問題点に鑑み案出したものであって、湿気を防ぐことができるとともに、壁内に良好に配管，配線等が行える壁構造を提供せんとするものであり、その請求項１は、柱の内側に胴縁を介して壁材を取り付ける壁構造において、前記柱と胴縁との間にスペーサーを入れ、該スペーサーにより通気空間を形成させたことである。
また、請求項２は、前記通気空間内に補強材を配設したことである。
また、請求項３は、前記通気空間内に配管あるいは配線を配設したことである。
【発明の効果】
【０００５】
本発明は、柱と胴縁との間にスペーサーを入れ、スペーサーにより通気空間を形成させたことにより、壁内に通気空間を良好に形成させることができるため、通気空間内に空気が通り、湿気を良好に防ぐことができるものとなる。
【０００６】
また、通気空間内に補強材を配設したことにより、通気空間を利用して、この空間内に補強材を設けることにより、壁の内側からこの補強材に手摺り等の部材を強固に取り付けることができるものとなる。
【０００７】
また、通気空間内に配管あるいは配線を配設したことにより、通気空間内を利用して良好に配管あるいは配線を通すことができ、別途、壁の外側に配管あるいは配線を行う必要がなく、すっきりとした状態に配管あるいは配線が行えるものとなる。
【実施例】
【０００８】
以下、本発明の実施例を図面に基づいて説明する。
図１は、内部に浴室と脱衣室を形成させる建築構造体の斜視構成図である。
即ち、四隅コーナー部と長手方向の中央部には柱１，１，１が立設されており、各柱１，１間には、所定間隔をおいて複数の間柱２，２，２が立設されて、浴室３と脱衣室４の外周を構成している。
【０００９】
このような間柱２，２，２に対し、例えば浴室３側では、図２の縦断面拡大構成図で示すような断面構造の壁が構築されるものである。
即ち、図２において、各間柱２の内側には、上下方向に所定間隔でスペーサー５が設けられ、このスペーサー５，５の内側には、樹脂胴縁６が固定されるのである。
このように、それぞれの間柱２にスペーサー５を介在させて樹脂胴縁６をそれぞれ固定した後に、複数の樹脂胴縁６，６の内側に防水シート１２が張設されて、壁下地材７が取り付けられ、この壁下地材７の表面にタイル８等の意匠材が貼着されて壁が仕上げられるものである。
【００１０】
なお、図３には、間柱とスペーサーと樹脂胴縁の斜視構成図を示す。
即ち、各間柱２の内側には、両面テープ等で上下方向に間隔をおいて複数のスペーサー５，５を予め仮固定しておき、この状態で、スペーサー５，５の内側に樹脂胴縁６を木ビス９を用いて固定するのである。
スペーサー５は、例えば発泡ポリスチレンで形成されており、また、樹脂胴縁６も発泡倍率の小さい発泡ポリスチレンで形成されており、内側から木ビス９を樹脂胴縁６にねじ込み、さらにスペーサー５を貫通させて間柱２に木ビス９をねじ込むことで、樹脂胴縁６をスペーサー５を介在させて間柱２に固定することができるものである。
【００１１】
なお、例えば間柱２の幅寸法ａが１２０mmである場合には、スペーサーは厚みが２５mmのものを用い、間柱２の幅寸法ａが１０５mmである場合には、スペーサー５の厚みが４０mmのものを使用して調整できるように、スペーサー５の厚みの異なるものが用意されている。
なお、複数のスペーサー５，５の上下間隔は、例えば４５５mm間隔に配置することができるものである。
なお、樹脂胴縁６の厚み寸法は、例えば１８mmであり、壁下地材７の厚み寸法は９mm程度である。
【００１２】
なお、図２のように、浴室３側では、底面を構成する防水パン１０上にも下地材７が敷設されて、この上にタイル８，８等の意匠材が貼着されるものである。
なお、このような壁構造は、脱衣室４側にも採用されるものであり、脱衣室４もタイル８等の意匠材が貼着されて構成されるものである。
【００１３】
このような壁構造では、複数のスペーサー５，５間で通気空間Ｓが形成され、この通気空間Ｓの厚み寸法は、スペーサー５の厚み寸法により調整することができるものである。
この通気空間Ｓ内には空気が良好に流通することができるため、壁内にカビ等が発生することを良好に防ぐことができるものとなる。
【００１４】
また、例えば図４に示すように、通気空間Ｓ内に、横方向に補強材１１を配設し、浴室３の内側から手摺り等を取り付ける際に、この補強材１１にビス等で手摺り等を強固に固定させることができ、その他の浴室内等の補助部材も強固に補強材１１で補強して取り付けることができるものとなる。
【００１５】
なお、さらには、この通気空間Ｓ内に配管あるいは配線を通して、良好に壁内に配管あるいは配線を行うことができ、配管あるいは配線を隠蔽状にすっきりとした状態で施工することができるものとなる。
【図面の簡単な説明】
【００１６】
【図１】浴室と脱衣室を形成する建築構造体の斜視構成図である。
【図２】浴室側の壁構造を示す縦断面拡大構成図である。
【図３】壁の構成部材の斜視構成図である。
【図４】壁内に補強材を配設する場合の斜視構成図である。
【符号の説明】
【００１７】
２  間柱
３  浴室
４  脱衣室
５  スペーサー
６  樹脂胴縁
７  壁下地材
８  タイル等の意匠材
９  木ビス
１０  防水パン
１１  補強材
【図１】
2005240385.tif 000003
【図２】
2005240385.tif 000004
【図３】
2005240385.tif 000005
【図４】
2005240385.tif 000006
(57)【要約】【課題】  タイル等の貼着が容易となり、美しい仕上がりを呈する浴室の施工構造を提供する。【解決手段】  浴室１の床面を構成する防水パン２の外周には、下方へ凹んだ外周凹部２ａが形成され、この外周凹部２ａ内に、壁面５を構成する壁下地材１０の下端が垂設され、この壁下地材１０の表面にタイル１１等の意匠材が貼着されて施工される。【選択図】  図２
2005240384.tif 000002
【特許請求の範囲】
【請求項１】
浴室の床面を構成する防水パンの外周には、下方へ凹んだ凹部が形成され、該凹部内に壁下地材の下端が垂設され、該壁下地材の表面にタイル等の意匠材が貼着されることを特徴とする浴室の施工構造。
【請求項２】
前記防水パンの凹部を、耐水性のある素材で埋めたことを特徴とする請求項１に記載の浴室の施工構造。
【発明の詳細な説明】
【技術分野】
【０００１】
本発明は、浴室の施工構造に関するものである。
【背景技術】
【０００２】
従来、例えば特許文献１に開示されているような防水パンの外周の壁載置面上に、壁材を立設させて浴室が施工されている。
【特許文献１】実開平６−７６４６５号公報
【発明の開示】
【発明が解決しようとする課題】
【０００３】
従来において、壁材の表面にタイル等を貼着して施工する場合、壁材の下端側では、タイル等を正確に切断して寸法合わせ等する必要があり、さらに床面には水勾配と呼ばれる排水のための傾斜が設けられる場合は、さらにタイル等を斜めに正確に切断して寸法合わせ等する必要があり、タイル等を貼着する手間がかかるとともに、正確に切断できないと見栄えが悪くなるという問題点があった。
【課題を解決するための手段】
【０００４】
本発明は上記従来の問題点に鑑み案出したものであって、タイル等を貼る場合に、正確に切断等する必要がなく、容易に貼着して施工できる浴室の施工構造を提供するものであり、その請求項１は、浴室の床面を構成する防水パンの外周には、下方へ凹んだ凹部が形成され、該凹部内に壁下地材の下端が垂設され、該壁下地材の表面にタイル等の意匠材が貼着されることである。
また請求項２は、前記防水パンの凹部を、耐水性のある素材で埋めたことである。
【発明の効果】
【０００５】
本発明は、防水パンの外周の凹部内に壁下地材の下端が垂設され、該壁下地材の表面にタイル等の意匠材が貼着されることにより、壁下地材の下端に貼着されるタイル等を正確に切断等することなく、容易に貼着することができ、下端側のタイル等は、防水パンの凹部内にのみ込まれるため見え難い位置となり、仕上がりが美しくなる効果を有する。
【０００６】
また、防水パンの凹部を、耐水性のある素材で埋めたことにより、凹部を埋めて水の凹部内への浸入を防ぐことができるとともに、すっきりとした仕上がり状態を確保することができるものとなる。
【実施例】
【０００７】
以下、本発明の実施例を図面に基づいて説明する。
図１は、浴室と脱衣室の平面構成図である。
浴室１の床面を構成する防水パン２の外周には、図２の縦断面拡大構成図で示すように、下方へ凹み状に外周凹部２ａが一体形成され、この外周凹部２ａの外周には、立ち上げ状に周縁片２ｂが形成されて、防水パン２には、洗い場３側と浴槽４側が形成されている。
【０００８】
図２に示すように、壁面５を構成する壁下地材１０（セメント系ボード）の下端は、防水パンの外周凹部２ａ内に垂下状に配設されるものである。
即ち、壁下地材１０の下端は、防水パンの周縁片２ｂの内側の外周凹部２ａ内にのみ込まれた状態で立設されるものである。
この壁下地材１０の表面には、タイル１１，石材，樹脂製の化粧材，木質系化粧材，ガラス、セメント系化粧材，石灰又は石膏製の化粧材等の意匠材が、接着剤やモルタルを用いて貼着されて仕上げられるが、タイル１１等は、上方側から下方側に向かって順次貼着されてゆき、最下端のタイル１１等は、従来では、寸法合わせのため正確に切断加工等されて壁下地材１０に貼着されていたが、本例ではタイル１１等をラフな切断、もしくはタイル１１等の大きさがのみ込まれる大きさより大きい場合は何ら切断等することなく、そのままの状態で壁下地材１０に貼着して施工できるものである。
【０００９】
即ち、最下端側のタイル１１の下端が壁下地材１０の下端と整合される必要はなく、容易にタイル１１等を貼着施工することができるものである。
なお、壁面５を形成する壁下地材１０は、所定間隔で立設されている間柱７の内側にスペーサー８を介して胴縁９を固定し、この胴縁９の表面側に防水シート１３を貼着した後、取り付けられるものである。
【００１０】
なお、図２に示すように、防水パン２上にも下地材１０が敷設されて、この下地材１０上に、タイル１１等の意匠材が貼着されて施工されるものであり、図２のように、防水パン２上に設けられる下地材１０の先端は、壁面５側の最下端のタイル１１等と直交状に配置されて、壁面５側の最下端のタイル１１の下部は、防水パン２側のタイル１１等で隠されることとなり、壁面５側の最下端のタイル１１等の下部が露出することはないため、切断等されていなくても、良好な美観を呈した仕上がり状態が得られるものとなる。
【００１１】
なお、防水パン２の外周凹部２ａ内には、接着剤あるいは接着剤と壁下地材１０の破片等、その他、耐水性のある素材が入れられて、それらの素材により外周凹部２ａは完全に埋められ、これにより、外周凹部２ａ内に水が浸入することはなく、しかも外周凹部２ａが埋められることで、仕上がり状態の美観が向上したものとなる。
なお、壁面５側に貼着されるタイル等の意匠材と、防水パン２側に貼着されるタイル１１等の意匠材を同一種類のものとして、壁面５から床面に連続した模様やパターンを形成させておくことにより、浴室の高級感が得られるものとなる。
【００１２】
なお、脱衣室６側の壁面５にも壁下地材１０を取り付けて、その表面にタイル１１等の意匠材を貼着して構成することができ、この場合、脱衣室６側の壁面も同一種類のタイル１１等の意匠材を用いることにより、浴室１から連続した模様，パターンが脱衣室６側まで延びて、広々とした開放感が得られるものとなる。
【図面の簡単な説明】
【００１３】
【図１】浴室と脱衣室の平面構成図である。
【図２】防水パンの外周に立設される壁面の縦断面拡大構成図である。
【符号の説明】
【００１４】
１  浴室
２  防水パン
２ａ  外周凹部
２ｂ  周縁片
５  壁面
６  脱衣室
７  間柱
８  スペーサー
９  胴縁
１０  壁下地材
１１  タイル
【図１】
2005240384.tif 000003
【図２】
2005240384.tif 000004
(57)【要約】【課題】高揚程ポンプとしての揚液の高所或いは長距離移送機能を損うことなく、しかも汚水中における異物の噛み込みを生じさせることのない、水中遠心ポンプの拘束防止構造を提供すること。【解決手段】内装される羽根車２と同心状に形成されたポンプケーシングの内周面と、前記羽根車２の外周面との間に狭い環状間隙を保有させ、羽根車２の羽根板５は、先端部５ｅの肉厚を薄くし、該先端部５ｅにおける外周長さ５ａが短くなるよう構成する。この構成により、ポンプケーシング内へ吸込まれた揚液中の異物は、羽根板５の回転後方へ逃げ易くなり、異物の噛み込みによる羽根車２の拘束（ロック）事故を起すことがなく、また、ポンプケーシング内周と羽根車外周との環状間隙は狭く保たれているため、高揚程ポンプとしての揚液の高所或いは長距離移送機能が損われることはない。【選択図】        図２
2005240630.tif 000002
【特許請求の範囲】
【請求項１】
内装される羽根車と同心状に形成されたポンプケーシングの内周面と、前記羽根車の外周面との対向面間に狭い環状間隙を保有させ、羽根車の羽根板は、先端部の肉厚を薄くし、該先端部における外周長さが短くなるよう構成したことを特徴とする、水中遠心ポンプの拘束防止構造。
【発明の詳細な説明】
【技術分野】
【０００１】
本発明は、水中遠心ポンプの拘束防止構造に関するものである。
【背景技術】
【０００２】
周知のように、水中遠心ポンプでは高揚程化等に伴い、ポンプケーシング内周面と羽根車外周との間に形成される環状間隙（側方クリアランス）が狭められた構造となっている（例えば、特許文献１および２参照。）。しかし、高揚程化等に対応させて側方クリアランスを狭くすれば、汚水中では異物の噛み込みによる羽根車拘束（ロック）事故が問題となる。また、異物の噛み込みを生じさせないため側方クリアランスを大きくすれば、高揚程ポンプとしての揚液の高所或いは長距離移送機能が損われることになる。
【特許文献１】特開２０００−１７９４８９号公報  （第１−４図）
【特許文献２】特開２００２−２１７６９号公報  （第１図）
【発明の開示】
【発明が解決しようとする課題】
【０００３】
解決しようとする課題は、高揚程ポンプとしての揚液の高所或いは長距離移送機能を損うことなく、しかも汚水中における異物の噛み込みを生じさせることのない、水中遠心ポンプの拘束防止構造を提供することである。
【課題を解決するための手段】
【０００４】
本発明では、ポンプケーシングの内周面と羽根車の外周面との対向面間に狭い環状間隙を保有させ、羽根車の羽根板は、先端部の肉厚を薄くし、該先端部における外周長さが短くなるよう構成したことを、最も主要な特徴とする。
【発明の効果】
【０００５】
本発明によれば、羽根車先端部における外周長さが短かいため、ポンプケーシング内へ吸込まれた揚液中の異物は、羽根板の回転後方側へ逃がされ易くなり、異物の噛み込みによる羽根車の拘束（ロック）事故を起すことがなく、また、環状間隙は狭く保たれているため、高揚程ポンプとしての揚液の高所或いは長距離移送機能が損われることもない。
【発明を実施するための最良の形態】
【０００６】
内装される羽根車と同心状に形成されたポンプケーシングの内周面と、前記羽根車の外周面との対向面間に狭い環状間隙を保有させ、羽根車の羽根板は、先端部の肉厚を薄くし、該先端部における外周長さが短くなるよう構成する。
【実施例１】
【０００７】
図１において、１はポンプケーシングであり、内装される羽根車２と同心状に形成された内周面を有している。該ポンプケーシング１の内周面と羽根車２の外周面との対向面間には狭い環状間隙４が保有されている。羽根車２のシュラウド３に配設された各羽根板５・・５は図２に示すよう、先端部５ｅの肉厚を薄くし該先端部５ｅにおける外周長さ５ａが可能な限り短くなるよう構成する。再び図１において、６はポンプケーシング１の下壁中央に開設された吸込口、７はポンプケーシング１の側壁の一側部に開設された吐出口である。この構造により、水中遠心ポンプの運転時、吸込口６からポンプケーシング１内へ吸込まれた揚液中の異物は、外周長さ５ａの短い羽根板５の先端部５ｅを通過して羽根板５・・５の回転後方側へ逃がされることになり、異物の噛み込みによる羽根車２の拘束（ロック）事故を起すことなくポンプケーシング１内を一巡して吐出口７から揚液と共に揚送される。また、ポンプケーシング１の内周と羽根車２の外周との対向面間の環状間隙４は狭く保持されているので、高揚程ポンプとしての揚液の高所或いは長距離移送機能が損われることもない。
【図面の簡単な説明】
【０００８】
【図１】本発明構造を備えた水中遠心ポンプの要部縦断側面図である。
【図２】本発明構造における羽根車の要部底面図である。
【符号の説明】
【０００９】
１      ポンプケーシング
２      羽根車
４      環状間隙
５      羽根板
５ａ    外周長さ
５ｅ    羽根板先端部
【図１】
2005240630.tif 000003
【図２】
2005240630.tif 000004
(57)【要約】〔課題〕従来の木造建築の基礎は床下に外気を導入することで床下換気を完成させている。さらに高温多湿な地域では、人体に有害な各種薬剤の塗布、散布がおこなわれ、シックハウスの原因にもなっている。〔解決手段〕本発明は、外断熱機密仕様の床下に木炭や竹炭を敷き、居室側に向け床下用換気口をもうけ、電気冷蔵庫の排熱や窓ガラスから入る日光や風等を利用し、床下と居室との空気対流をうながし、木炭や竹炭の調湿作用により床下木材の水分含有率を低くおさえると、ともに居室の脱臭、木炭や竹炭による人体に対するマイナスイオン効果を増幅させることができる。しかも、居室側で床下換気をおこなうことで有害薬剤の塗布・散布をも止めざるをえない。【特許請求の範囲】
【請求項１】
住宅建築において現行の外断熱機密仕様のベタ基礎を構築し床下に上質の木炭や竹炭を敷きつめシロアリ防護剤等人体に悪影響を与える薬剤の塗布、散布をおこなわない。止むをえず薬剤を塗布する場合は、木酢、ヒノキチオール等、人体に無害な木材防腐、防蟻剤を用いる。従来から、おこなわれている外気に向けた床下換気口をもうけず、居室側の床に２か所以上、穴を開けこれを床下喚気口とする。この換気口の一方は、電気冷蔵庫やエアコンの直下、窓や換気扇のそばにもうけ、床下と居室の空気対流をつくりだす。これにより、木炭や竹炭による調湿、脱臭、人体に対するマイナスイオン効果を最っとも効率よく得られる床下換気システム。
【発明の詳細な説明】
【技術分野】
【０００１】  本発明は、木造・鉄筋・鉄骨建築物の床下の調湿、脱臭をおこなうとともに木炭や竹炭の効能を最大限にひき出す建築物の床下換気に関するものである。
〔背景技術〕【０００２】  従来から木造建築物の床下は、外気を導入し、防腐・防蟻剤の塗布、散布を施こすことが、一般的である。さらに条件を良くするため木炭・竹炭を床下に敷くことも一部でおこなわれている。【０００３】  木炭や竹炭は空気中の有害物質を吸着分解し、マイナスイオンを放出する。マイナスイオンは人の新陳代謝を促進し、気分を癒し免疫力を強化する。また、木炭の調湿、脱臭効果も古くから知られている。
〔発明の開示〕
〔発明が解決しようとする課題〕【０００４】  従来からおこなわれている外気を床下へ導入し、換気をおこなうという手法は人体に有害な薬剤を床下に使用しているかぎり、そうせざるをえない。木炭・竹炭を施敷した場合にも換気口が外に向いている為、効率よくその効能をひきだせないし、木炭・竹炭の分量も多く必要としてしまう。
〔課題を解決するための手段〕【０００５】  本発明は、床下と外気を遮断して床下の換気を居室側でおこなうという発想なので木炭・竹炭の効能を効率よくひき出す。また、シックハウスの原因ともなっていた床下への薬剤塗布・散布をも止めざるをえない。
〔発明の効果〕【０００６】  上述したように本発明は、床下換気は外気を導入するという従来からの発想をくつがえし、居室側に換気口をもうけることで床下に敷いた木炭・竹炭を十二分に活用できるとともに、木造建築においては、床下木材の水分含有率を木炭・竹炭の作用により極めて低く保つことができる。
〔発明を実施するための最良の形態〕【０００７】  防湿シート等で可能なかぎり防湿した外断熱機密仕様のベタ基礎を構築する。床下に居室に向け２か所以上穴を開け、そのひとつは電気冷蔵庫やエアコンの直下、窓や換気口のそばにもうけ、電気冷蔵庫の排熱や窓ガラスから入る日光や風などで床下に空気対流が起こるよう配慮する。換気口は単に穴を開けるだけでもよいが、物の落下やゴキブリ対策のため金網を取り付ける。穴の大きさ及び数は、居室の広さ、状況にもよるが、めだたぬ程度のもので十分である。
〔実施例〕【０００８】  平成１５年１２月に完成した東京都練馬区豊玉上１−２５−８のメゾネットタイプのアパート「ヒーリング  ファクトリー江古田」全６室に本発明を施し一級建築士関与のもと効果・効能を確認するとともにアパート住人に絶賛されている。
(57)【要約】      （修正有）【課題】１階部分を車庫等にしている、建物等を車の出し入れを容易にしながら、耐震強度を高めるための、可動式筋交いである。通常住宅密集地などの地域では、駐車場などの確保が困難であり、住居の１階部分を車庫にしている場合が多く、耐震強度が弱かった。【解決手段】建築物の１階部分の柱（２）に可動式の筋交い（３）を、取り付けることによって、車の出し入れを容易にし、耐震強度を高めることが出来る。【選択図】図２
2005240525.tif 000002
【特許請求の範囲】
【請求項１】
１階が車庫等の家屋（１）の耐震強度を高める為に、稼働式の筋交い（３）を取り付け、モーター（４）を回して、筋交い（３）の支持部分、軸受けハウジング（７）を左右に移動できる様にした、支持部分。
【請求項２】
左右の軸受けハウジング（７）が、送りねじ（６）の回転により、中央に移動し、各、筋交い（３）のジョイント（５）が有ることによって上方に折れ上がる、筋交い。
【発明の詳細な説明】
【発明の詳細な説明】
【０００１】［発明の属する技術分野］
この発明は、１階が車庫等になっている家屋の耐震性を高め、尚かつ、車両等の出し入れを可能にした、筋交いに関するものである。
【０００２】［従来の技術］
従来、１階が車庫になっている家屋の場合、車の出し入れのため、筋交いを取り付けることができなかった。
【０００３】［発明が解決しようとする課題］
車両等を出し入れする場合、筋交いを取り付けられず、筋交いを取り付けると車両等の出し入れが困難であるという問題点があった。
本発明は、以上の問題点を解決し、車両等の出し入れを容易にし、家屋の耐震強度を高めることが、出来る様にしたものである。
【０００４】［課題を解決する手段］
家屋（１）の左右の柱（２）の上部に渡す様に、送りねじ（６）のシャフトを取り付け、それに、左右に軸受けハウジング（７）を取り付ける。
軸受けハウジング（７）に筋交い（３）の上部をジョイント（５）を介し、交差する様に取り付け、送りねじ（６）をモーター（（４）で回し、軸受けハウジング（７）が中央に移動することによって、筋交い（３）を上方に折りながら持ち上げる。
【０００５】［発明の実施の形態］
以下、本発明の実施の形態を説明する。
（イ）家屋（１）の１階部分の柱（２）の上部に、送りねじシャフト（６）を取り付け、モーター（４）によって回転出来る様にする。
（ロ）送りねじシャフト（６）の左右に軸受けハウジング（７）を取り付ける。
（ハ）左右の柱（２）の上部と下部に交差するようにジョイント（５）の付いた筋交い（３）を上部は軸受けハウジング（７）に取り付け、下部は柱（２）の下部に取り付ける。
本発明は以上の構成によりなる。
本発明を使用する場合は、車両等の出し入れの時、モーター（４）を回して軸受けハウジング（７）を中央に移動させ、筋交い（３）を上方に折り上げて出し入れを容易にし、それ以外の時は、筋交い（３）を左右に交差させて張り、耐震強度を高めることが出来る。
【０００６】［発明の効果］
本発明の耐震用可動式筋交いを取り付けることによって、耐震強度が高まり、また、車両等の出し入れが容易になる。
【図面の簡単な説明】  ［図１］
本発明の正面図
［図２］
本発明の可動時の正面図
［図３］
本発明の要部拡大の正面図
［符号の説明］
（１）家屋、  （２）柱、  （３）筋交い  （４）モーター
（５）ジョイント  （６）送りねじシャフト  （７）軸受けハウジング
【図１】
2005240525.tif 000003
【図２】
2005240525.tif 000004
【図３】
2005240525.tif 000005